(57)【要約】      （修正有）【課題】地中給水管から給水されるスプリンクラー設備を提供する。【解決手段】地中給水管Ｄから上方に分岐した下部水管Ｃ１に上部水管Ｃ２を螺合し、更に上部水管Ｃ２の上端にライザー管Ａを螺合して接続するとともに前記水管Ｃ１、Ｃ２を分割面で包被するように上下２段で左右に分割され、ライザーブロックで囲い、ライザーブロックの分割面に凹所Ｂ２３を設け、又上部水管Ｃ２に凹所と係止する廻り止め突起Ｃ２４を設ける。【選択図】図１０
0003225497.tif 000002
【実用新案登録請求の範囲】
【請求項１】
植物又は農作物が植わっている農地・緑地帯又は地表の地面に向けて、地中に埋設した地中給水管で送られる水を上昇させてスプリンクラーで地表上方から散水する、地中給水管から給水されるスプリンクラー設備であって、
地中に埋設した地中給水管に所定間隔をもって設けられた各分岐管の上方向に立上った垂直管に下部水管を接続するとともに、前記下部水管の上端に上方に延びた上位の上部水管の下端を第１ねじ連結部によって脱着自在に管接続し、更に前記上部水管の上端にスプリンクラーが先端に取付けた垂直なライザー管の下端を第２ねじ連結部でもって脱着自在に管接続し、しかも前記地中水管の分岐管とその上方に管接続された下部水管との外周を覆う立体空間を縦に左右２分割した形状のコンクリート製の左右対の下ライザーブロックを前記分岐部分と下部水管の外周に配置するとともに、前記左右の２分割された左右対の前記下ライザーブロックをその分割面で当接した状態で左右連結ピンによって左右分離可能に連結し、又前記第１ねじ連結部とその上方の上部水管の外周を覆う立体空間を縦に左右２分割した形状のコンクリート製の左右対の上ライザーブロックを前記下ライザーブロック上に載置するように配置するとともに、分割された左右対の上ライザーブロックの分割面で当接した状態で左右連結ピンによって左右分離可能に連結するとともに、前記上ライザーブロックは下方の前記下ライザーブロックに対し上下連結ピンによって上下分離可能に連結し、更に左右対の前記上ライザーブロックの分割面に凹所を設け、前記上部水管に前記凹所の壁面と係止する廻り止め突起を設けた構造とし、
ライザー管の分離のための回転操作で前記上ライザーブロックの前記凹所に前記上部水管の前記廻り止め突起が係止することで、上下のライザーブロックによる大きな回転抵抗が発生して下部水管のとも廻りが生起せずにライザー管を第２ねじ連結部からのライザー管の分離と交換を容易にし、又地面を浅く掘り、上ライザーブロックを分離して排除することで上部水管を第１ねじ連結部から分離して交換できることを特徴とする、地中給水管から給水されるスプリンクラー設備。
【請求項２】
前記した上下のライザーブロックの左右分割面には、第１ねじ連結部及び上部水管又は下部水管の各半身を空隙少なく包被する断面半円状の管挿入の空間が形成されるとともに、上ライザーブロックの開放口と上部水管の外周との空隙又は前記第１連結部と上ライザーブロックの分割面との間の空隙空間にモルタルを充填し、更に上ライザーブロックの上部に水が貯る凹所がない防水された構造とし、雨水が上下ライザーブロックの内部・分岐部及び地中給水管の周辺まで流入することを抑えた、請求項１記載の地中給水管から給水されるスプリンクラー設備。
【請求項３】
前記した左右の上ライザーブロック上部の管挿入の空間の開放口の開口径が上部水管の管径より大きくしたコーン状の凹所が形成するとともに、同凹所には前記凹所に流入した水を上ライザーブロックの外方へ排出する排水孔が設けられて、ライザーブロック内部下方に雨水が流入しにくくした、請求項１記載の地中給水管から給水されるスプリンクラー設備。
【請求項４】
前記した上下のライザーブロックの載置面の高さに前記第１ねじ連結部が位置するようにし、地面を掘って上ライザーブロックを下ライザーブロックから分離して排除することによって、第１ねじ連結部から上部水管を分離できて上部水管の交換を容易にした、請求項１〜３いずれか記載の地中給水管から給水されるスプリンクラー設備。
【考案の詳細な説明】
【技術分野】
【０００１】
本考案は、農地・畑又は道路の緑地帯又は法面の緑化あるいはゴルフ場・公園の緑化用植木・草花・住宅の庭に植えられた芝・草木へのスプリンクラー水による散水の設備であって、地表の所定高さにあるスプリンクラーに地中埋設された地中水管から水を上昇させて地表の所定高さから散水するスプリンクラー設備に関する。特に、広い畑に植えられた農作物に散水する農業用給水設備として有用である。
【背景技術】
【０００２】
畑の農作物に水を散水するスプリンクラー設備として、本出願人は特許文献１のサトウキビを対象としたスプリンクラー設備を開発した。
この特許文献１の考案は、サトウキビ畑の地中に長尺の地中給水管を埋設し、この地中給水管から所定間隔をもって逆Ｔ字状の分岐管を取付け、同分岐管の上方に立上った分岐垂直管に下部水管を螺合して管接続し、更に同下部水管の上端にねじ連結部を介して上部水管を管接続し、同上部水管の上端にスプリンクラーを先端に取付けたライザー管を上位のねじ連結部を介して管接続し、この分岐管・下部水管・上部水管及びねじ連結部の外周を厚く覆う立体形状を上下２段に分け且つ各段は左右に２分割されたコンクリート製のライザーブロックとし、更に上下の各ライザーブロックの分割面に上記分岐垂直管，第１ねじ連結部及び上・下部水管の左右半身を挿入できる管挿入空間を形成し、これら上下の左右対のライザーブロックを左右連結ピンで連結し、及び上下連結ピンで連結して一体化する構造である。
【０００３】
しかし、この従来のスプリンクラー設備では地表の露出するライザー管は畑表土より立上った状態で先端のスプリンクラーによって畑に水を散水するものである。
【０００４】
そのため、農業機械・人又は農器具が地表に立上ったライザー管に接触するとライザー管が曲ったり、又は途中で折曲・破損することが発生したりしていた。その場合は、上部水管の上端の第１ねじ連結部からライザー管の螺合を解いて分離して取り外し、新しいライザー管にこの第２ねじ連結部の位置から交換していた。従来では、その交換の為に変形したライザー管を回転させると、螺合していた下部水管がとも廻りして、下方の第１ねじ連結部の位置で螺合が解けていた。下方の第１ねじ連結部での螺合が解けると、上下の左右対のライザーブロック全体を地中から掘り出して地中から排除させて上部水管を取り外して、新しい上部水管の管端を下方の第１ねじ連結部にねじ連結して管接続し、その後左右対の上下ライザーブロックを外周に設置して左右連結ピンと上下連結ピンによって一体的に連結していた。上下ブロックの掘出しには直径５ｍで深さ２ｍ程の分岐管の外周の畑土を排土する作業が必要で、そのためライザー管の交換・補修作業に長時間の作業時間の大きい修理の工数が必要であった。
【先行技術文献】
【特許文献】
【０００５】
【特許文献１】意匠登録第１２４３１４４号公報
【考案の概要】
【考案が解決しようとする課題】
【０００６】
本考案が解決しようとする課題は、従来のスプリンクラー設備における湾曲・折曲したライザー管の交換作業・補修作業においてライザー管の取外しの為の回転操作に対し、下部水管がとも廻りしないようにでき、ライザー管をその下端にある上方のねじ連結部から確実且つ容易に取り外せて、ライザー管の交換・補修を容易にする。及びライザー管の下方の上部水管での湾曲・変形があった場合でも、上方の上ライザーブロックのみの直径２ｍで深さ１ｍ程の小規模の地面掘り出しのみで、変形部の上部水管の交換作業が行え、この場合の掘り出し作業と上部水管交換作業の労力を大巾に軽減し且つ短時間で行えるようにすることにある。
【課題を解決するための手段】
【０００７】
かかる課題を解決した本考案の構成は、
１）  植物又は農作物が植わっている農地・緑地帯又は地表の地面に向けて、地中に埋設した地中給水管で送られる水を上昇させてスプリンクラーで地表上方から散水する、地中給水管から給水されるスプリンクラー設備であって、
地中に埋設した地中給水管に所定間隔をもって設けられた各分岐管の上方向に立上った垂直管に下部水管を接続するとともに、前記下部水管の上端に上方に延びた上位の上部水管の下端を第１ねじ連結部によって脱着自在に管接続し、更に前記上部水管の上端にスプリンクラーが先端に取付けた垂直なライザー管の下端を第２ねじ連結部でもって脱着自在に管接続し、しかも前記地中水管の分岐管とその上方に管接続された下部水管との外周を覆う立体空間を縦に左右２分割した形状のコンクリート製の左右対の下ライザーブロックを前記分岐部分と下部水管の外周に配置するとともに、前記左右の２分割された左右対の前記下ライザーブロックをその分割面で当接した状態で左右連結ピンによって左右分離可能に連結し、又前記第１ねじ連結部とその上方の上部水管の外周を覆う立体空間を縦に左右２分割した形状のコンクリート製の左右対の上ライザーブロックを前記下ライザーブロック上に載置するように配置するとともに、分割された左右対の上ライザーブロックの分割面で当接した状態で左右連結ピンによって左右分離可能に連結するとともに、前記上ライザーブロックは下方の前記下ライザーブロックに対し上下連結ピンによって上下分離可能に連結し、更に左右対の前記上ライザーブロックの分割面に凹所を設け、前記上部水管に前記凹所の壁面と係止する廻り止め突起を設けた構造とし、
ライザー管の分離のための回転操作で前記上ライザーブロックの前記凹所に前記上部水管の前記廻り止め突起が係止することで、上下のライザーブロックによる大きな回転抵抗が発生して下部水管のとも廻りが生起せずにライザー管を第２ねじ連結部からのライザー管の分離と交換を容易にし、又地面を浅く掘り、上ライザーブロックを分離して排除することで上部水管を第１ねじ連結部から分離して交換できることを特徴とする、地中給水管から給水されるスプリンクラー設備
２）  前記した上下のライザーブロックの左右分割面には、第１ねじ連結部及び上部水管又は下部水管の各半身を空隙少なく包被する断面半円状の管挿入の空間が形成されるとともに、上ライザーブロックの開放口と上部水管の外周との空隙又は前記第１連結部と上ライザーブロックの分割面との間の空隙空間にモルタルを充填し、更に上ライザーブロックの上部に水が貯る凹所がない防水された構造とし、雨水が上下ライザーブロックの内部・分岐部及び地中給水管の周辺まで流入することを抑えた、前記１）記載の地中給水管から給水されるスプリンクラー設備
３）  前記した左右の上ライザーブロック上部の管挿入の空間の開放口の開口径が上部水管の管径より大きくしたコーン状の凹所が形成するとともに、同凹所には前記凹所に流入した水を上ライザーブロックの外方へ排出する排水孔が設けられて、ライザーブロック内部下方に雨水が流入しにくくした、前記１）記載の地中給水管から給水されるスプリンクラー設備
４）  前記した上下のライザーブロックの載置面の高さに前記第１ねじ連結部が位置するようにし、地面を掘って上ライザーブロックを下ライザーブロックから分離して排除することによって、第１ねじ連結部から上部水管を分離できて上部水管の交換を容易にした、前記１）〜３）いずれか記載の地中給水管から給水されるスプリンクラー設備
にある。
【考案の効果】
【０００８】
本考案によれば、左右対の上ライザーブロックの分割面に凹所を設け、上部水管に同凹所と係止する廻り止め突起を取付けたことにより、ライザー管を回転させても廻り止め突起が上ライザーブロックの前記凹所の壁面と係合し、ライザー管の回転に対し、左右及び上下に連結されて地中に埋設されたライザーブロックは大きな回転負荷抵抗になり、上部水管はライザー管の回転にとも廻りはなくなり、上方の第２ねじ連結部から螺合が解かれてその上方のライザー管が容易に上方の第２ねじ連結部から分離される。
【０００９】
又、上部水管が上ライザーブロックの内部で変形している場合は、ライザー管をその上方の第２ねじ連結部から分離して取り除いた後、ライザーブロックまわりの地面を２ｍ直径で深さ１ｍ程掘ることによって左右対の上ライザーブロックが露出させる。この上ライザーブロックの左右連結ピンと上下連結ピンを取り外して２分割して取り除ければ、下方のねじ連結部と上部水管が露出でき、その後上部水管との螺合を解いて変形した上部水管を取り外し、新しい上部水管を下方のねじ連結部に螺合することで交換できる。その後、上下の左右対のライザーブロックを配置する。
【００１０】
尚、ライザー管の取り外しは変形・損傷したライザー管の交換・補修のためばかりでなく、長期間散水不要の場合あるいは台風の場合にもライザー管の破損を防ぐため取り外す。
【００１１】
左右対の上ライザーブロックで形成される上部水管の管挿入空間と挿入される上部水管との間の空隙をモルタル（図示せず）等で充填し、上ライザーブロック分割合からの水の下方への流入を防止し、又実施例の如く上ライザーブロックの上部に水・ゴミが貯る凹所がない防水構造とすることで、ライザーブロック内部及びその下方の地面に雨水又は植物のゴミ・泥水の流入を少なくできる。
【００１２】
又、図１１〜１３に示すように上ライザーブロックの上部に管挿入空間を中心とするコーン状（皿状）の凹所を設け、同凹所に排水孔を設ければ上ライザーブロックの上部からの雨水の進入を少なくできる。
【００１３】
更に、上下ライザーブロックの載置面の高さに下方の第１ねじ連結部が位置すれば左右対の上ライザーブロックを地面の小規模な２ｍ直径で１ｍ程の地面掘りによって地中から容易・迅速に排除でき、第１ねじ連結部位と上部水管が露出し変形した上部水管の取り外しと新しい上部水管の連結が迅速に行える。
【図面の簡単な説明】
【００１４】
【図１】図１は本考案のサトウキビ畑での実施例のスプリンクラー設備の使用状態を示す説明図である。
【図２】図２は実施例の上下の左右対のライザーブロックを示す分解斜視図である。
【図３】図３は実施例の縦に２分割された左又は右の半身のライザーブロックの上下重ねた状態を示す説明図である。
【図４】図４は実施例のライザー管と上部水管・下部水管と第１，２のねじ連結部との接続構造を示す説明図である。
【図５】図５は実施例のライザー管の先端のスプリンクラー用継手を示す拡大正面図である。
【図６】図６は実施例の第２ねじ連結部を示す拡大平面図である。
【図７】図７は実施例の第２ねじ連結部を示す拡大正面図である。
【図８】図８は実施例の分岐管を示す正面図である。
【図９】図９は実施例のライザー管の先端に取付けるスプリンクラーの構造を示す説明図である。
【図１０】図１０は実施例のライザー管の破損事故例を示す説明図である。
【図１１】図１１は本考案の上下ライザーブロックの他の構造例を示す説明図である。
【図１２】図１２は本考案の他の構造例の上ライザーブロックの分割面からの矢視の拡大正面図である。
【図１３】図１３は本考案の他の構造例の下ライザーブロックを示す正面図である。
【考案を実施するための形態】
【００１５】
本考案で、上ライザーブロックＢ２に積極的に皿状の凹所と排水孔を設けることも可能である。
【実施例】
【００１６】
以下、本考案の図１〜１０に示す実施例を図面に基づいて具体的に説明する。図１１〜１３には本考案の実施例外の他の上下ライザーブロックの構造例を示すものである。
図１〜１０に示す実施例は、サトウキビ畑に設けた例で、ライザー管は地面から略１．４〜３．０ｍで長さ調整できるように垂直に立設され、上部水管の長さは約１ｍ程で下部水管と分岐管の長さは約２ｍ程で地中水管は大略地下２〜３ｍの深さに配設されている。又、第２ねじ連結部は、上ライザーブロックの平坦な上面から少し高い位置の地面上方に設けた例である。
【００１７】
（符号の説明）
図１〜１３の符号と用語をまず説明する。Ａは高さを調整するため上下に伸縮自在としたライザー管、Ａ１はライザー管Ａの管径４８ｍｍ外径の高さ１．４ｍ程の下管、Ａ２は同下管内で進退する３８ｍｍ外径の１．４ｍ高さの上管、Ａ２１は上管Ａ２の先端部、Ａ３は同ライザー管Ａの上管Ａ２の先端部Ａ２１に脱着自在に取付けられたスプリンクラー、Ａ３１は上管Ａ２の先端部Ａ２１にスプリンクラーＡ３を接続するコネクター部、Ａ３２はスプリンクラーＡ３の散水ノズル、Ａ３３はスプリンクラーＡ３内部の水路の中心線である。Ａ４は下管Ａ１内を昇降する上管Ａ２を所定の伸縮位置で固定連結する長さ調整継手、Ａ４１は同長さ調整継手の継手本体、Ａ４２は開閉してライザー管Ａの上管Ａ２を把持する左右対の開閉爪アーム、Ａ４３は同開閉爪アームの枢軸、Ａ４４は左右の開閉爪アームを引き寄せて上管Ａ２を締めて把持する締付ボルトである。
【００１８】
Ｂはライザー管Ａの下方の地中に埋設される上下のライザーブロック、Ｂ１は左右対の下ライザーブロック、Ｂ２は左右対の上ライザーブロック、Ｂ１０は下ライザーブロックＢ１の分割面、Ｂ１１は同分割面Ｂ１０に形成された下部水管Ｃ１を挿水する挿入空間、Ｂ１２は左右連結ピン、Ｂ１３は上下連結ピン、Ｂ１４は連結ピン孔、Ｂ２０は上ライザーブロックＢ２の分割面、Ｂ２１は同分割面Ｂ２０に形成された上部水管Ｃ２を挿入する挿入空間（凹部）、Ｂ２２は左右の上ライザーブロックＢ２を連結する左右連結ピンである。Ｃ１は分岐管Ｅの垂直管Ｅ１と螺合され，上方にある上部水管Ｃ２の下端に第１ねじ連結部（脱着自在継手）Ｃ１０を介して接続される下部水管、Ｃ２はライザー管Ａの下端と第２ねじ連結部（脱着自在継手）Ｃ２２を介して接続される上部水管、Ｃ２１は上部水管Ｃ２の上端部、Ｃ２２は上部水管Ｃ２の上端部２１と螺合し上端ではライザー管Ａの下管Ａ１を螺着させている第２ねじ連結部（脱着自在継手）、Ｃ２３は第２ねじ連結部（脱着自在継手）Ｃ２２の回転操作アーム、Ｃ２４は上部水管Ｃ２の途中に設けた廻り止め突起、Ｃ２５は下管Ａ１の下端部との螺合部、Ｃ２６は上部水管Ｃ２の上端部との螺合部である。
【００１９】
Ｄは地中水管、Ｅは逆Ｔ字状の分岐管、Ｅ１は逆Ｔ字状の分岐管Ｅの垂直管、Ｅ２は地中水管Ｄと分岐管Ｅの水平管との接続部である。Ｐは畑に植えられたサトウキビ、ＨＧは畑地面、ＨＡは実施例での地面掘出領域、ＨＡＪは従来の地面堀出領域である。
【００２０】
本実施例では、地中水管Ｄから給水される水は分岐管Ｅ，その垂直管Ｅ１，下部水管Ｃ１，上部水管Ｃ２を通って、ライザー管Ａの下管Ａ１，上管Ａ２，コネクター部（雄ねじ部）Ａ３１とコネクターベース（雌ねじ管）Ａ３４との螺合によってスプリンクラーＡ３が取付けられ、その散水ノズルＡ３２を介してサトウキビ畑へ散水される。スプリンクラーＡ３の高さは長さ調整継手Ａ４によってライザー管Ａは地表から１．５〜３ｍ程の高さで高さ調整できる。
【００２１】
このライザー管Ａが農作業車又は農器具・作業者と接触して又は強風・台風によって変形変位・破損することが発生する。
【００２２】
この場合の変形変位したライザー管Ａの交換作業で上部管から取り外すため、ライザー管Ａを回転させてもライザー管Ａの下端の第２ねじ連結部（脱着自在継手）Ｃ２２を介し接続された上部水管Ｃ２の廻り止め突起Ｃ２４が左右対の上ライザーブロックＢ２の分割面Ｂ２０の凹所Ｂ２３と係止し、しかも左右対の上ライザーブロックＢ２は左右連結ピンＢ２２で互に連結され、更に上下連結ピンＢ１３によって下ライザーブロックＢ１と連結し、上下ライザーブロックＢ１，Ｂ２は地面に埋設されているので、これらが強い回転止めとなって上部水管Ｃ２の回転はせずに第２ねじ連結部（脱着自在継手）Ｃ２２においてライザー管Ａの下管Ａ１は上部水管Ｃ２の第２ねじ連結部（脱着自在継手）Ｃ２２の位置から分離され、ライザー管Ａはとも廻りなく脱着継手の位置から分離し、ライザー管Ａの交換・補修が容易になされる。
【００２３】
更に、前記上部水管が変形して交換させねばならない場合は、ライザー管Ａの取り外し後に上ライザーブロックＢ２の外周の土面を直径２ｍで深さ１ｍ程掘ることで、上ライザーブロックＢ２を露出し、これを左右連結ピンＢ１２，２２及び上下連結ピンＢ１３を取り外すことで左右の上ライザーブロックＢ２に分解して地中から取り出すことによって、第１ねじ連結部Ｃ１０が露出する。この第１ねじ連結部Ｃ１０の螺合を解くことで、変形・折損した上部水管Ｃ２を取り外し、新しい上部水管Ｃ２を螺着することで新しい上部水管に新たに第１ねじ連結部Ｃ１０に取付けることができる。
【００２４】
新しい上部水管Ｃ２を取付けてからその外周に左右の上ライザーブロックＢ２を配置し、左右連結ピンＢ１２，２２，上下連結ピンＢ１３を取付けて上下ライザーブロックＢ１，Ｂ２を一体化して、地中に埋設させることができる。この地面の掘り出しが直径２ｍで深さ１ｍ程で済むので、作業が迅速にできる。
【００２５】
本考案では、図１２，１３に示す他の構造例の上ライザーブロックＢ２のように上部にコーン状の水を一時貯えるコーン状の凹所Ｂ４０を設け、この凹所Ｂ４０に排水孔Ｂ４１を設けて、外部に排水する構造も可能である。
【産業上の利用可能性】
【００２６】
本考案は、サトウキビ畑等の農作物への散水の他、ゴルフ場の芝、公園に植えた草花、道路の緑地帯の散水装置としても使用できる。
【符号の説明】
【００２７】
Ａ    ライザー管
Ａ１    下管
Ａ２    上管
Ａ２１    先端部
Ａ３    スプリンクラー
Ａ３１    コネクター部（雄ねじ部）
Ａ３２    散水ノズル
Ａ３３    中心線
Ａ３４    コネクターベース（雌ねじ管）
Ａ４    長さ調整継手
Ａ４１    継手本体
Ａ４２    開閉爪アーム
Ａ４３    枢軸
Ａ４４    締付ボルト
Ｂ    ライザーブロック
Ｂ１    下ライザーブロック
Ｂ１０    分割面
Ｂ１１    挿入空間
Ｂ１２    左右連結ピン
Ｂ１３    上下連結ピン
Ｂ１４    連結ピン孔
Ｂ２    上ライザーブロック
Ｂ２０    分割面
Ｂ２１    挿入空間
Ｂ２２    左右連結ピン
Ｂ２３    凹所
Ｂ３３    連結ピン孔
Ｂ４０    コーン状凹所
Ｂ４１    排水孔
Ｃ１    下部水管
Ｃ１０    第１ねじ連結部（脱着自在継手）
Ｃ２    上部水管
Ｃ２１    上端部
Ｃ２２    第２ねじ連結部（脱着自在継手）
Ｃ２３    回転操作アーム
Ｃ２４    廻り止め突起
Ｃ２５    下管との螺合部
Ｃ２６    上部水管との螺合部
Ｄ    地中水管
Ｅ    分岐管
Ｅ１    垂直管
Ｅ２    接続部
Ｐ    サトウキビ
ＨＧ    畑地面
ＨＡ    実施例での地面掘出領域
ＨＡＪ    従来の地面掘出領域
ＳＣ    農作業車
【図１】
0003225497.tif 000003
【図２】
0003225497.tif 000004
【図３】
0003225497.tif 000005
【図４】
0003225497.tif 000006
【図５】
0003225497.tif 000007
【図６】
0003225497.tif 000008
【図７】
0003225497.tif 000009
【図８】
0003225497.tif 000010
【図９】
0003225497.tif 000011
【図１０】
0003225497.tif 000012
【図１１】
0003225497.tif 000013
【図１２】
0003225497.tif 000014
【図１３】
0003225497.tif 000015
【手続補正書】
【提出日】令和1年12月27日(2019.12.27)
【手続補正１】
【補正対象書類名】実用新案登録請求の範囲
【補正対象項目名】全文
【補正方法】変更
【補正の内容】
【実用新案登録請求の範囲】
【請求項１】
植物又は農作物が植わっている農地・緑地帯又は地表の地面に向けて、地中に埋設した地中給水管で送られる水を上昇させてスプリンクラーで地表上方から散水する、地中給水管から給水されるスプリンクラー設備であって、
地中に埋設した地中給水管に所定間隔をもって設けられた各分岐管の上方向に立上った垂直管に下部水管を接続するとともに、前記下部水管の上端に上方に延びた上位の上部水管の下端を第１ねじ連結部によって脱着自在に管接続し、更に前記上部水管の上端にスプリンクラーが先端に取付けた垂直なライザー管の下端を第２ねじ連結部でもって脱着自在に管接続し、しかも前記地中給水管の分岐管とその上方に管接続された下部水管との外周を覆う立体空間を縦に左右２分割した形状のコンクリート製の左右対の下ライザーブロックを前記分岐管と下部水管の外周に配置するとともに、前記左右の２分割された左右対の前記下ライザーブロックをその分割面で当接した状態で左右連結ピンによって左右分離可能に連結し、又前記第１ねじ連結部とその上方の上部水管の外周を覆う立体空間を縦に左右２分割した形状のコンクリート製の左右対の上ライザーブロックを前記下ライザーブロック上に載置するように配置するとともに、分割された左右対の上ライザーブロックの分割面で当接した状態で左右連結ピンによって左右分離可能に連結するとともに、前記上ライザーブロックは下方の前記下ライザーブロックに対し上下連結ピンによって上下分離可能に連結し、更に左右対の前記上ライザーブロックの分割面に凹所を設け、前記上部水管に前記凹所の壁面と係止する廻り止め突起を設けた構造とし、
ライザー管の分離のための回転操作で前記上ライザーブロックの前記凹所に前記上部水管の前記廻り止め突起が係止することで、上下のライザーブロックによる大きな回転抵抗が発生して下部水管のとも廻りが生起せずにライザー管を第２ねじ連結部からのライザー管の分離と交換を容易にし、又地面を浅く掘り、上ライザーブロックを分離して排除することで上部水管を第１ねじ連結部から分離して交換できることを特徴とする、地中給水管から給水されるスプリンクラー設備。
【請求項２】
前記した上下のライザーブロックの左右分割面には、第１ねじ連結部及び上部水管又は下部水管の各半身を空隙少なく包被する断面半円状の管挿入の空間が形成されるとともに、上ライザーブロックの開放口と上部水管の外周との空隙又は前記第１連結部と上ライザーブロックの分割面との間の空隙空間にモルタルを充填し、更に上ライザーブロックの上部に水が貯る凹所がない防水された構造とし、雨水が上下ライザーブロックの内部・分岐部及び地中給水管の周辺まで流入することを抑えた、請求項１記載の地中給水管から給水されるスプリンクラー設備。
【請求項３】
前記した左右の上ライザーブロック上部の管挿入の空間の開放口の開口径が上部水管の管径より大きくしたコーン状の凹所が形成するとともに、同凹所には前記凹所に流入した水を上ライザーブロックの外方へ排出する排水孔が設けられて、ライザーブロック内部下方に雨水が流入しにくくした、請求項１記載の地中給水管から給水されるスプリンクラー設備。
【請求項４】
前記した上下のライザーブロックの載置面の高さに前記第１ねじ連結部が位置するようにし、地面を掘って上ライザーブロックを下ライザーブロックから分離して排除することによって、第１ねじ連結部から上部水管を分離できて上部水管の交換を容易にした、請求項１〜３いずれか記載の地中給水管から給水されるスプリンクラー設備。
【手続補正２】
【補正対象書類名】明細書
【補正対象項目名】０００７
【補正方法】変更
【補正の内容】
【０００７】
かかる課題を解決した本考案の構成は、
１）  植物又は農作物が植わっている農地・緑地帯又は地表の地面に向けて、地中に埋設した地中給水管で送られる水を上昇させてスプリンクラーで地表上方から散水する、地中給水管から給水されるスプリンクラー設備であって、
地中に埋設した地中給水管に所定間隔をもって設けられた各分岐管の上方向に立上った垂直管に下部水管を接続するとともに、前記下部水管の上端に上方に延びた上位の上部水管の下端を第１ねじ連結部によって脱着自在に管接続し、更に前記上部水管の上端にスプリンクラーが先端に取付けた垂直なライザー管の下端を第２ねじ連結部でもって脱着自在に管接続し、しかも前記地中給水管の分岐管とその上方に管接続された下部水管との外周を覆う立体空間を縦に左右２分割した形状のコンクリート製の左右対の下ライザーブロックを前記分岐管と下部水管の外周に配置するとともに、前記左右の２分割された左右対の前記下ライザーブロックをその分割面で当接した状態で左右連結ピンによって左右分離可能に連結し、又前記第１ねじ連結部とその上方の上部水管の外周を覆う立体空間を縦に左右２分割した形状のコンクリート製の左右対の上ライザーブロックを前記下ライザーブロック上に載置するように配置するとともに、分割された左右対の上ライザーブロックの分割面で当接した状態で左右連結ピンによって左右分離可能に連結するとともに、前記上ライザーブロックは下方の前記下ライザーブロックに対し上下連結ピンによって上下分離可能に連結し、更に左右対の前記上ライザーブロックの分割面に凹所を設け、前記上部水管に前記凹所の壁面と係止する廻り止め突起を設けた構造とし、
ライザー管の分離のための回転操作で前記上ライザーブロックの前記凹所に前記上部水管の前記廻り止め突起が係止することで、上下のライザーブロックによる大きな回転抵抗が発生して下部水管のとも廻りが生起せずにライザー管を第２ねじ連結部からのライザー管の分離と交換を容易にし、又地面を浅く掘り、上ライザーブロックを分離して排除することで上部水管を第１ねじ連結部から分離して交換できることを特徴とする、地中給水管から給水されるスプリンクラー設備
２）  前記した上下のライザーブロックの左右分割面には、第１ねじ連結部及び上部水管又は下部水管の各半身を空隙少なく包被する断面半円状の管挿入の空間が形成されるとともに、上ライザーブロックの開放口と上部水管の外周との空隙又は前記第１連結部と上ライザーブロックの分割面との間の空隙空間にモルタルを充填し、更に上ライザーブロックの上部に水が貯る凹所がない防水された構造とし、雨水が上下ライザーブロックの内部・分岐部及び地中給水管の周辺まで流入することを抑えた、前記１）記載の地中給水管から給水されるスプリンクラー設備
３）  前記した左右の上ライザーブロック上部の管挿入の空間の開放口の開口径が上部水管の管径より大きくしたコーン状の凹所が形成するとともに、同凹所には前記凹所に流入した水を上ライザーブロックの外方へ排出する排水孔が設けられて、ライザーブロック内部下方に雨水が流入しにくくした、前記１）記載の地中給水管から給水されるスプリンクラー設備
４）  前記した上下のライザーブロックの載置面の高さに前記第１ねじ連結部が位置するようにし、地面を掘って上ライザーブロックを下ライザーブロックから分離して排除することによって、第１ねじ連結部から上部水管を分離できて上部水管の交換を容易にした、前記１）〜３）いずれか記載の地中給水管から給水されるスプリンクラー設備
にある。